(57)【要約】【課題】  先端工具を回転駆動させることができる状態で、作業者が、先端工具を所望の方向に向けることができ、しかも所望の方向に向けられた先端工具側を照明部で照明することができる工具用アタッチメントを提供すること。【解決手段】  動力工具１１の回転部に着脱自在に取り付けられる入力軸１４と、先端工具１２を取り付け可能であり入力軸１４と連結する装着部１７と、装着部１７及び入力軸１４がそれぞれ回動自在に設けられ、装着部１７（先端工具１２）が回転駆動するときに、入力軸１４を中心にして動力工具１１に対して回動自在であるハウジング１８ａとを備え、先端工具１２側を照明する照明部１９がハウジング１８ａに設けられている。よって、先端工具１２の向きを変えても、ハウジング１８ａに設けられている照明具２５もその向きに自動的に向かうので、先端工具１２側を常に照明することができ、暗い場所でも作業がし易い。【選択図】      図１
0003107471.tif 000002
【実用新案登録請求の範囲】
【請求項１】
動力工具の回転部に着脱自在に取り付けられる入力部と、先端工具を取り付け可能であり前記入力部の回転が伝達される装着部と、この装着部及び前記入力部がそれぞれ回動自在に設けられ前記装着部が回転駆動するときに、前記入力部を中心にして前記動力工具に対して回動自在であるハウジングとを備え、前記入力部及び前記装着部のそれぞれの回転軸線が互いに所定の角度を成す工具用アタッチメントにおいて、
前記先端工具側を照明する照明部が前記ハウジングに設けられていることを特徴とする工具用アタッチメント。
【請求項２】
前記入力部の回転を前記装着部に伝達する動力伝達部を備えることを特徴とする請求項１記載の工具用アタッチメント。
【請求項３】
前記装着部の回転軸線が、前記入力部の回転軸線に対して略直交することを特徴とする請求項１又は２記載の工具用アタッチメント。
【請求項４】
前記照明部は、前記ハウジングに対して一体に設けられていることを特徴とする請求項１乃至３のいずれかに記載の工具用アタッチメント。
【請求項５】
前記照明部は、前記ハウジングに対して取り付け可能に形成されていることを特徴とする請求項１乃至３のいずれかに記載の工具用アタッチメント。
【請求項６】
前記照明部に電源部が設けられていることを特徴とする請求項１乃至５のいずれかに記載の工具用アタッチメント。
【考案の詳細な説明】
【技術分野】
【０００１】
本考案は、先端工具を動力工具に取り付けるためのものであり、その先端工具側を照明するための照明部を備える工具用アタッチメントに関する。
【背景技術】
【０００２】
例えば電動工具が構造物と干渉したり、作業スペースが狭いために、ネジ締め作業や孔開け作業等ができないことがある。その場合は、図８に示すアングルドライバやアングルドリル等のアングル式電動工具１が使用されている。このアングル式電動工具１は、ドライバビット（例えばプラスビットやマイナスビットがある。）やキリ等の先端工具（図示せず）を、電動工具１の軸方向と略直交する方向に装着できる装着部２を有するものである。このアングル式電動工具１を使用することによって、構造物が邪魔になる等の場所でのネジ締め作業等を簡単に行うことができる。しかし、構造物が邪魔になる等の場所は、暗くて作業がし難いことがある。
【０００３】
そこで、図８に示すアングル式電動工具１にライトアダプタ３を設けた照明部付きアングル式電動工具４が提供されている（例えば、特許文献１参照。）。この照明部付き電動工具４は、図９に示すように、本体ハウジング５と、ヘッドハウジング６との間にライトアダプタ３を設けたものであり、このライトアダプタ３内に光源としてのＬＥＤ７が配置されている。このＬＥＤ７によって、ネジ締め部分や孔開け部分等を照明できるので、作業をし易くすることができる。
【０００４】
図９に示す照明部付きアングル式電動工具４によると、作業者は、作業スペースが狭い等の作業状況に応じて作業する前に、本体ハウジング５に対してヘッドハウジング（装着部２）６を、電動工具４のモータ回転軸８を中心にして、所望の角度だけ回転させて、装着部２に取り付けられる先端工具を所望の方向に向けることができる。このように、ヘッドハウジング６の向きを変更するときは、まず、取付けボルト（図８参照）９を外して、ヘッドハウジング６及びライトアダプタ３を、本体ハウジング５に対して所望の角度だけ回転させる。そして、ヘッドハウジング６及びライトアダプタ３を、取付けボルト９で締め付けて本体ハウジング５に固定する。
【特許文献１】特開２００２−１５４０６５号公報
【考案の開示】
【考案が解決しようとする課題】
【０００５】
しかし、図９に示す従来の照明部付きアングル式電動工具４では、装着部２を所望の向きにするために、ヘッドハウジング６を所望の角度だけ回転させる場合は、取付けボルト９を外したり、締め付けたりする必要があるので、手間が掛かるし、その分だけ作業時間が長引くことになる。
【０００６】
また、図１０に示す工具用アタッチメント１０が従来から存在する。この工具用アタッチメント１０は、同図に示すように、電動工具１１に取り付けられて、そのアタッチメント１０に取り付けられたビット等の先端工具１２を回転させることができるものである。そして、このように先端工具１２を回転駆動させることができる状態で、作業者がハンドル１３を手で握って操作することによって、工具用アタッチメント１０を、入力軸１４を中心にして、電動工具１１に対して回動させることができる。これによって、作業スペースが狭い等の状況に応じて、先端工具１２を所望の方向に簡単に向けることができるので、作業のし難い場所でも簡単にネジ締め等ができる。
【０００７】
しかし、図１０に示す工具用アタッチメント１０では、電動工具１１に対して、図９に示すライトアダプタ３を取り付けるときは、ライトアダプタ３を、工具用アタッチメント１０と電動工具１１との間に挟み込んで、取付けボルト９で締付け固定する必要がある。このようにすると、図９に示す照明部付きアングル式電動工具４と同様に、工具用アタッチメント１０を所望の方向に向ける際には、取付けボルト９を外したり、締め付けたりする必要があり手間が掛かる。
【０００８】
本考案は、上記のような課題を解決するためになされたものであり、先端工具を回転駆動させることができる状態で、作業者が、先端工具を所望の方向に向けることができ、しかも、所望の方向に向けられた先端工具側を照明部で照明することができる工具用アタッチメントを提供することを目的としている。
【課題を解決するための手段】
【０００９】
本考案に係る工具用アタッチメントは、動力工具の回転部に着脱自在に取り付けられる入力部と、先端工具を取り付け可能であり前記入力部の回転が伝達される装着部と、この装着部及び前記入力部がそれぞれ回動自在に設けられ前記装着部が回転駆動するときに、前記入力部を中心にして前記動力工具に対して回動自在であるハウジングとを備え、前記入力部及び前記装着部のそれぞれの回転軸線が互いに所定の角度を成す工具用アタッチメントにおいて、前記先端工具側を照明する照明部が前記ハウジングに設けられていることを特徴とするものである。
【００１０】
この考案によると、工具用アタッチメントを動力工具の回転部に取り付けることができ、この取り付けた状態で、動力工具を駆動することによって装着部を回転駆動させることができる。装着部が回転すると、この装着部に装着される先端工具（ドライバビットやキリ等）を回転させることができる。これによって、ネジ締め作業や孔開け作業ができるし、ネジを緩めることもできる。また、作業者は、作業スペースが狭い等の状況に応じて、先端工具を回転駆動させることができる状態で、工具用アタッチメントを、動力工具に対してその入力軸を中心にして簡単に揺動（回転）させて、先端工具を所望の方向に向けることができる。そして、照明部をこの工具用アタッチメントのハウジングに設けたので、先端工具の向きの変更に伴って照明部の向きも変更される。よって、向きが変更された先端工具の側を照明部によって照明することができる。
【００１１】
そして、この考案に係る工具用アタッチメントにおいて、前記入力部の回転を前記装着部に伝達する動力伝達部を設けてもよい。このように動力伝達部を設けた構成とすることによって、動力工具に取り付けられる入力軸の回転軸線と、先端工具が装着される装着部の回転軸線との成す角度を所望の角度となるように製造することができる。
【００１２】
また、この考案に係る工具用アタッチメントにおいて、前記装着部の回転軸線が、前記入力部の回転軸線に対して略直交するようにしてもよい。このようにすると、例えばネジ締め部分のネジ方向に構造物が存在して動力工具を配置できない場合でも、構造物が邪魔にならないように効果的に回避してネジ締め作業等ができる。
【００１３】
更に、この考案に係る工具用アタッチメントにおいて、前記照明部を、前記ハウジングに対して一体に設けてもよい。このようにすると、工具用アタッチメントのハウジングと、照明部とを別個に製造する場合と比較して、製造コストを低減することができる。
【００１４】
そして、この考案に係る工具用アタッチメントにおいて、前記照明部を、前記ハウジングに対して取り付け可能に形成してもよい。このようにすると、例えば照明部が設けられていない工具用アタッチメントに対して、必要に応じて照明部を後付けすることができる。
【００１５】
そして、この考案に係る工具用アタッチメントにおいて、前記照明部に電源部を設けるとよい。このようにすると、照明部と動力工具とを電力線で接続して、照明部の電力を動力工具側から取り入れる必要がない。従って、工具用アタッチメントを、入力軸を中心にして自由に回動させて先端工具の向きを変更することができ、ネジ締め等の作業をし易くすることができる。
【考案の効果】
【００１６】
この考案に係る工具用アタッチメントよると、作業者は、先端工具を回転駆動させることができる状態で、先端工具を所望の方向に向けることができるので、作業のし難い場所でも容易にネジ締め等の作業ができる。そして、作業者が先端工具の方向を変更しても、それに応じてハウジングに設けられている照明部の向きも変更されるので、常に先端工具側を照明部で照明することができる。よって、暗い場所でも、容易かつ安全にネジ締め等の作業ができる。
【００１７】
また、照明部を工具用アタッチメントに設けてあるので、照明部と先端工具との間に光を遮る障害物が介在する可能性が低く、よって、照明部によって、先端工具側を確実に照明できる。
【考案を実施するための最良の形態】
【００１８】
以下、本考案に係る工具用アタッチメントの実施形態を図１〜図７を参照して説明する。この工具用アタッチメント１５は、図１に示すように、このアタッチメント１５に設けられている入力軸１４を動力工具１１の回転部（図示せず）に取り付けて使用できるものであり、動力工具１１を正転及び逆転方向に駆動することによって、アタッチメント１５に設けられている装着部１７を所望の各方向に回転駆動させることができる。装着部１７が回転すると、この装着部１７に装着される先端工具（ドライバビットやキリ等）１２を同方向に回転駆動させることができる。これによって、ネジ締め作業や孔開け作業ができるし、ネジを緩めることもできる。
【００１９】
ただし、この実施形態の工具用アタッチメント１５は、先端工具１２として例えばドライバビット（以下、単に「ビット」と言うこともある。）を装着できるものである。ドライバビットとしては、プラスビットやマイナスビット等がある。そして、動力工具１１は、例えば電動工具であり、いわゆるインパクトドライバである。動力工具１１の電源は、例えば充電式のバッテリである。このバッテリは、動力工具１１内に収容されている。
【００２０】
工具用アタッチメント１５は、図２に示すように、アタッチメント本体１８と、照明部１９とを備えている。なお、この工具用アタッチメント１５には、ハンドル１３が着脱自在に取り付けられている。
【００２１】
アタッチメント本体１８は、図１〜図５に示すように、入力軸１４、動力伝達部（図示せず）、装着部１７、及びハウジング１８ａを備えている。ハウジング１８ａはＬ字状の管状体であり、図３において、水平方向に向って開口する入力側開口部１８ｂと、垂直下方に向って開口する出力側開口部１８ｃとを備えている。入力側開口部１８ｂは、内側から入力軸１４が水平方向に突出している。
【００２２】
入力軸１４は、図１に示すように、断面形状が六角形に形成されており、動力工具１１の回転部に着脱自在に取り付けられ、回転部の回転に伴って回転駆動される。なお、入力側開口部１８ｂは、図３に示すスリーブ２０によって閉じられている。このスリーブ２０は、スナップリング（図５（ｂ）参照）でハウジング１８ａに留められている。
【００２３】
装着部１７は、図１に示すように、出力側開口部１８ｃの内側から垂直下方に突出しており、先端工具１２を着脱自在に装着できるように形成されている。装着部１７が回転駆動すると、この装着部１７に装着されている先端工具１２が同方向に回転する。
【００２４】
動力伝達部（図示せず）は、入力軸１４の回転動力を装着部１７に伝達するためのものであって、ハウジング１８ａ内に収納されており、例えば第１の傘歯車と、第２の傘歯車とを備えている。第１及び第２の各傘歯車は、ハウジング１８ａ内に回動自在に設けられており、互いに噛み合っている。第１の傘歯車には、入力軸１４が連結しており、第２の傘歯車には装着部１７が連結している。
【００２５】
なお、図５（ａ）、（ｂ）に示すハウジング１８ａの左右の各側面及び上面には、ハンドル取付け雌ねじ（図示せず）が設けられており、各ハンドル取付け雌ねじにはキャップネジ２２、２２、２２が装着されている。３つの各ハンドル取付け雌ねじは、ハンドル１３を螺合させて取り付けることができるものである。ハンドル１３は、例えばネジ締め作業等の際に作業のし易いように、所望のハンドル取付け雌ねじに取り付けることができる。
【００２６】
照明部１９は、図１に示すアタッチメント本体１８に着脱自在に装着することができ、アタッチメント本体１８に装着した状態で、装着部１７に装着された先端工具（例えばビット）１２側を照明することができるものである。照明部１９は、図１、図６、及び図７に示すように、上外装部２３、下外装部２４、及び照明具２５を備えており、これら上外装部２３と下外装部２４とは、互いに結合している。
【００２７】
下外装部２４は、図６及び図７に示すように、外壁部２４ａ、及び内筒部２４ｂを備えている。外壁部２４ａは、断面形状が略Ｕ字状に形成されており、その外面がアタッチメント本体１８のハウジング１８ａの外面と略一致して連なるように形成されている。内筒部２４ｂは、同各図に示すように、テーパ筒状に形成されており、外壁部２４ａの内部に設けられている。そして、この内筒部２４ｂの内周面は、スリーブ２０の外周面と対応するテーパ形状に形成されている。
【００２８】
照明具２５は、図６及び図７（ａ）、（ｂ）に示すように、下外装部２４の内側下部に設けられている。この照明具２５は、例えばＬＥＤ（発光ダイオード）であり、回路基板（図示せず）を介してバッテリ（電源部）２６、２６が電気的に接続されている。このバッテリ２６、２６及び回路基板は、照明部１９内に配置されている。
【００２９】
上外装部２３は、図６及び図７に示すように、断面形状が略コ字状に形成されており、先端部の表面に凹部２３ａが形成されている。そして、その凹部２３ａの底に小孔２３ｂが形成されている。この凹部２３ａは、図２に示すように、ハンドル１３の一端に形成されている縮径部１３ａを挿入することができる大きさであり、小孔２３ｂは、ハンドル１３の一端に突設されている雄ねじ部１３ｂを挿通することができる大きさである。
【００３０】
この照明部１９をアタッチメント本体１８に装着するときは、図２に示すように、入力軸１４を内筒部２４ｂ内に挿入してスリーブ２０を内筒部２４ｂ内に嵌合させる。そして、ハンドル１３の雄ねじ部１３ｂを、例えばハウジング１８ａの上面に形成されているハンドル取付け雌ねじに螺合して締め付ければよい。なお、ハンドル１３を、ハウジング１８ａの側面に形成されているハンドル取付け雌ねじに取り付けるときは、ハンドル１３を取り付けようとするハンドル取付け雌ねじに螺合するキャップネジ２２を取り外し、その雌ねじにハンドル１３を取り付ければよい。そして、上外装部２３に設けられている凹部２３ａにキャップネジ２２を装着して、そのキャップネジ２２を対応するハンドル取付け雌ねじに螺合させればよい。このキャップネジ２２によって、照明部１９をアタッチメント本体１８に固定して取り付けることができる。
【００３１】
また、図２に示すように、照明部１９の右端部には、照明具２５のオン・オフ切り替え用のスイッチ２７が設けられている。このスイッチ２７を操作することによって、照明具２５を点灯及び消灯させることができる。
【００３２】
上記のように構成された工具用アタッチメント１５によると、図１に示すように、このアタッチメント１５の入力軸１４を動力工具１１の回転部（図示せず）に装着することによって、このアタッチメント１５を動力工具１１に取り付けることができる。そして、この取り付けた状態で、動力工具１１を駆動することによって装着部１７を回転駆動させることができる。装着部１７が回転すると、この装着部１７に装着されるドライバビット等の先端工具１２を回転させることができる。これによって、例えばネジ締め作業やネジを緩めることができる。ただし、動力工具１１の回転部、入力軸１４、及び先端工具１２が回転駆動するときに、アタッチメント１５のハウジング１８ａが入力軸１４を中心にして回転しないように、作業者は、ハンドル１３を手で握って止めておく必要がある。アタッチメント１５が回転するのは、入力軸１４、第１及び第２の傘歯車、並びに装着部１７と、ハウジング１８ａとの間に摩擦抵抗が生じるからである。
【００３３】
また、作業者は、図１に示すように、先端工具１２を回転駆動させることができる状態で、作業者がハンドル１３を手で握って操作することによって、工具用アタッチメント１５を、その入力軸１４を中心にして、動力工具１１に対して簡単に揺動（回動）させることができる。これによって、作業スペースが狭い等の状況に応じて、工具用アタッチメント１５を所望の角度だけ自由に揺動させて、先端工具１２を所望の方向に向けることができる。よって、作業のし難い場所でも容易にネジ締め等の作業ができる。
【００３４】
そして、照明部１９をこの工具用アタッチメント１５のハウジング１８ａに設けたので、作業者が、入力軸１４を中心して先端工具１２を揺動させてその向きを自由に変更しても、それに応じてハウジング１８ａに設けられている照明部１９の向きも変更されるので、常に先端工具１２側を照明具２５で照明することができる。従って、暗い場所でも、容易かつ安全にネジ締め等の作業ができる。
【００３５】
また、図１に示すように、照明部１９を工具用アタッチメント１５に設けてあるので、照明部１９と先端工具１２との間に光を遮る障害物が介在する可能性が低く、よって、照明部１９によって、先端工具１２側を確実に照明できる。
【００３６】
そして、この工具用アタッチメント１５は、第１及び第２の傘歯車によって形成された動力伝達部を設けてあるので、この第１及び第２の傘歯車のそれぞれの回転軸線の交差する角度が、所望の角度となるように設定することができる。これによって、入力軸１４の回転軸線と、先端工具１２が装着される装着部１７の回転軸線との成す角度が所望の角度となるように、このアタッチメント１５を製造することができる。つまり、この工具用アタッチメント１５を、その用途に応じて作業のし易いように製造することができる。
【００３７】
そして、この工具用アタッチメント１５の装着部１７と入力軸１４とが互いに略直交するように設定すると、例えばネジ締め部分のネジ方向に構造物が存在して動力工具１１を配置できない場合でも、構造物が邪魔にならないように効果的に回避してネジ締め等の作業ができる。
【００３８】
また、図１に示すように、照明部１９は、アタッチメント本体１８に対して着脱自在に取り付けることができる構成としたので、例えばアタッチメント本体１８と照明部１９とを別売りする場合は、アタッチメント本体１８に対して必要に応じて照明部１９を後付けすることができる。
【００３９】
更に、図７（ａ）に示すように、照明部１９にバッテリ（電源部）２６、２６が収納されている構成としたので、照明部１９と動力工具１１とを電力線で接続して、照明部１９の電力を動力工具１１に設けられているバッテリから取り入れる必要がない。従って、工具用アタッチメント１５を、その入力軸１４を中心にして自由に回動させて先端工具１２の向きを変更することができ、ネジ締め等の作業をし易くすることができる。そして、照明部１９と動力工具１１とを電力線で接続する必要がなく手間が掛からない。
【００４０】
ただし、上記実施形態では、図１に示すように、アタッチメント本体１８と、照明部１９とを別個に形成したが、これに代えて、両者を一体に形成してもよい。このようにすると、両者を別個に製造する場合と比較して、製造コストを低減することができる。
【００４１】
そして、上記実施形態では、図１に示すように、先端工具１２としてドライバビットを装着部１７に装着するものとしたが、これに代えて、キリ等の他の先端工具を装着部に装着するものとしてもよい。これによって、孔開け等の作業ができるようにすることができる。
【００４２】
また、上記実施形態では、照明具２５としてＬＥＤを使用したが、これに代えて、電球を使用してもよい。
【産業上の利用可能性】
【００４３】
以上のように、本考案に係る工具用アタッチメントは、先端工具を回転駆動させることができる状態で、作業者が、先端工具を所望の方向に向けることができ、しかも、所望の方向に向けられた先端工具側を照明部で照明することができる優れた効果を有し、このような工具用アタッチメント等に適用するのに適している。
【図面の簡単な説明】
【００４４】
【図１】この考案の実施形態に係る工具用アタッチメントを動力工具に取り付けた状態を示す正面図である。
【図２】同実施形態に係る同アタッチメントにハンドルを取り付けた状態を示す正面図である。
【図３】同実施形態に係る同アタッチメントを示す斜視図である。
【図４】同実施形態に係る同アタッチメントを示す正面図である。
【図５】同実施形態の同アタッチメントを示し、（ａ）はその左側面図、（ｂ）はその右側面図である。
【図６】同実施形態に係る同アタッチメントに設けられる照明部を示す正面図である。
【図７】同実施形態に係る同アタッチメントに設けられる照明部を示し、（ａ）はその左側面図、（ｂ）はその右側面図、（ｃ）はその平面図である。
【図８】従来のアングル式電動工具を示す正面図である。
【図９】従来の照明部付きアングル式電動工具を示す部分拡大断面図である。
【図１０】従来の工具用アタッチメントを電動工具に取り付けた状態を示す正面図である。
【符号の説明】
【００４５】
１１  電動工具
１２  先端工具
１３  ハンドル
１３ａ  ハンドルの縮径部
１３ｂ  ハンドルの雄ねじ部
１４  入力軸
１５  工具用アタッチメント
１７  装着部
１８  アタッチメント本体
１８ａ  ハウジング
１９  照明部
２０  スリーブ
２１  スナップリング
２２  キャップネジ
２３  上外装部
２３ａ  凹部
２３ｂ  小孔
２４  下外装部
２４ａ  外壁部
２４ｂ  内筒部
２５  照明具
２６  バッテリ
２７  スイッチ
【図１】
0003107471.tif 000003
【図２】
0003107471.tif 000004
【図３】
0003107471.tif 000005
【図４】
0003107471.tif 000006
【図５】
0003107471.tif 000007
【図６】
0003107471.tif 000008
【図７】
0003107471.tif 000009
【図８】
0003107471.tif 000010
【図９】
0003107471.tif 000011
【図１０】
0003107471.tif 000012